(57)【要約】【課題】従来から存在する螺合式接眼アクセサリをそのまま使用可能であり、かつ本発明の方式に準拠した構造を有する接眼アクセサリを使用する場合には、不用意なアクセサリ脱落事故を確実に防止出来る脱落防止構造を提案する。【解決手段】ファインダ接眼部（２）に設けられたネジ部に螺合可能なネジ部を有するファインダアクセサリ（１，２１）を着脱可能なファインダ装置において、ファインダアクセサリのネジ部（１ａ，２１ａ）先端には切欠部（１ｂ，２１ａ）が設けられ、ファインダアクセサリをファインダ接眼部に装着した際に切欠部に係合可能に配置された係合部（１１ａ，３１ａ）と、切欠部の方向に係合部を付勢する付勢部材（１２，３１）とを具備する。【選択図】      図１
2004258363.tif 000002
【特許請求の範囲】
【請求項１】
ファインダ接眼部に設けられたネジ部に螺合可能なネジ部を有するファインダアクセサリを着脱可能なファインダ装置において、
前記ファインダアクセサリのネジ部先端には切欠部が設けられ、
前記ファインダアクセサリを前記ファインダ接眼部に装着した際に前記切欠部に係合可能に配置された係合部と、
前記切欠部の方向に前記係合部を付勢する付勢部材とを具備することを特徴とするファインダ装置。
【請求項２】
前記付勢手段による付勢を解除して前記切欠部と前記係合部との係合を解除する係合解除手段をさらに備えたことを特徴とする請求項１に記載のファインダ装置。
【請求項３】
前記切欠部は、前記ファインダアクセサリの装着方向における端面に設けられていることを特徴とする請求項１または２に記載のファインダ装置。
【請求項４】
前記切欠部と前記係合部とがラチェット構造を成し、
前記ファインダアクセサリを取り外す方向に回転したときに、前記切欠部と前記係合部とが係合して、以降の前記取り外す方向の回転を禁止することを特徴とする請求項１または２に記載のファインダ装置。
【請求項５】
前記ファインダ接眼部は、該ファインダ接眼部を遮蔽するためのアイピースシャッタと、該アイピースシャッタを開閉するための操作手段とを備え、
前記係合解除手段は、前記操作手段の操作に応じて前記係合を解除することを特徴とする請求項２に記載のファインダ装置。
【請求項６】
前記操作手段は、前記アイピースシャッタが開いた状態で前記切欠部と前記係合部との係合を維持し、前記アイピースシャッタが閉じた状態で前記切欠部と前記係合部との係合を解除することを特徴とする請求項５に記載のファインダ装置。
【発明の詳細な説明】
【０００１】
【発明の属する技術分野】
本発明は、ファインダアクセサリの脱落防止機構を備えたファインダ装置に関する。
【０００２】
【従来の技術】
一般的に、カメラのファインダの視度は、マイナス１ディオプターを基準に設計されることが多い。視度固定式のファインダを有するカメラにおいてユーザーの視度が合わない場合には、視度補正レンズと称する度の入ったアイピースをファインダの接眼部に装着する必要が生じる。一方、視度調節式ファインダの場合でも、ユーザーの視度が調節範囲を超える場合には、視度固定式と同様に視度補正レンズを装着して視度調節範囲をずらすことが行われる。
【０００３】
また、上述の視度補正レンズのようなアクセサリが装着可能なカメラにおいては、視度補正レンズ以外にも、所謂アングルファインダやマグニファイヤ等のファインダアクセサリを接眼部に装着する場合もある。
【０００４】
カメラシステムにおけるファインダアクセサリのカメラへの装着方法は、ユーザーのアクセサリ資産の有効活用の観点から、従来のファインダアクセサリを無条件で活用できる形式であることが望ましい。他方、従来用いていた形式のアクセサリがそのまま使用可能であることは、メーカーとしてもコストの面から有利である。
【０００５】
従来、ファインダアクセサリの脱落防止を考慮した着脱機構としては、実開平２−８９４３５号公報のようなものがある。このアイピースは、アクセサリの着脱方向に延びる溝とこの溝の底面に設けられた段差とを有しており、また、ファインダアクセサリは、先端にアイピース溝の底面の段差に引っ掛かる鋭角な爪部を有してアイピースの溝に挿入可能な二つの対向する爪を、回動可能、且つ弾性を有するようにつないだ構成としたものが開示されている。
【０００６】
［特許文献１］
【０００７】
実開平２−８９４３５号公報（実用新案登録請求の範囲、第１図）
【０００８】
【発明が解決しようとする課題】
従来、ファインダアクセサリの装着方法の一つとして、カメラの接眼部とファインダアクセサリとにネジ部を設け、螺合することによって装着する（ねじ込み式）ものがある。この方式は、簡単に装着できる反面、一旦緩みが生じると次第に緩みが増して行き、遂には知らないうちに脱落してアクセサリを紛失する恐れがある。ねじ込み式のファインダアクセサリの脱落防止方法としては、ファインダ装置のアクセサリを装着する部分の周囲の空間が狭いことと、ファインダ装置が大きくなることを避けたこともあり、アクセサリの脱落をほぼ完全に防止できて尚且つファインダアクセサリの着脱が容易であり、さらに、在来のファインダアクセサリが問題無く使用可能で商品的にもスマートな形式のものは無かった。
【０００９】
本発明は、上記の問題点に鑑みてなされたものであり、螺合式のアクセサリ装着部を有するファインダ装置において、従来から存在する視度補正レンズ、アングルファインダ等のファインダアクセサリをそのまま使用可能であり、且つ、本発明の方式に準拠した構造を有するファインダアクセサリを使用する場合には、ファインダアクセサリの不用意な脱落を確実に防止できる構造のファインダ装置を提案するものである。
【００１０】
【課題を解決するための手段】
上記課題を解決するため、請求項１の発明によるファインダ装置は、ファインダ接眼部（２）に設けられたネジ部に螺合可能なネジ部を有するファインダアクセサリ（１，２１）を着脱可能なファインダ装置において、ファインダアクセサリのネジ部（１ａ，２１ａ）先端には切欠部（１ｂ，２１ａ）が設けられ、ファインダアクセサリをファインダ接眼部に装着した際に切欠部に係合可能に配置された係合部（１１ａ，３１ａ）と、切欠部の方向に係合部を付勢する付勢部材（１２，３１）とを具備することを特徴とする。
【００１１】
また、請求項２の発明によるファインダ装置は、請求項１に対してさらに付勢手段（１２）による付勢を解除して切欠部（１ｂ）と係合部（１１ａ）との係合を解除する係合解除手段（１１，１１ｂ，６ａ）をさらに備えたことを特徴とする。
【００１２】
請求項３の発明によるファインダ装置は、請求項１または２において、切欠部（１ｂ，２１ａ）は、ファインダアクセサリの装着方向における端面に設けられていることを特徴とする。
【００１３】
請求項４の発明によるファインダ装置は、請求項１または２において、切欠部（１ｂ）と係合部（１１ａ）とがラチェット構造を成し、ファインダアクセサリを取り外す方向に回転したときに、切欠部と係合部とが係合して、以降の取り外す方向の回転を禁止することを特徴とする。
【００１４】
請求項５の発明によるファインダ装置は、請求項２において、ファインダ接眼部（２）は、該ファインダ接眼部を遮蔽するためのアイピースシャッタ（５，６）と、該アイピースシャッタを開閉するための操作手段（３３）とを備え、係合解除手段（１１，１１ｂ，６ａ）は、操作手段（３３）の操作に応じて係合を解除することを特徴とする。
【００１５】
請求項６の発明によるファインダ装置は、請求項５において、操作手段（３３）は、アイピースシャッタ（５，６）が開いた状態で切欠部（１ｂ）と係合部（１１ａ）との係合を維持し、アイピースシャッタが閉じた状態で切欠部と係合部との係合を解除することを特徴とする。
【００１６】
【発明の実施の形態】
図１は、本発明の実施形態によるファインダ装置の要部を示す断面図であり、図２は、本発明の実施形態によるファインダ装置を図１の左側から見た場合の要部を示す平面図である。本発明のファインダ装置は、接眼部の近傍にアイピースシャッタ機構とこれに連動する脱落防止機構を備えている。また、図３は、本発明のファインダ装置においてアイピースの脱落が防止された状態を示す断面図であり、便宜上、脱落防止の構成を分かり易く示したものである。
【００１７】
ファインダ装置の接眼部２に設けられた開口部には雌ネジ２ａが設けられ、雄ネジ１ａを有するアイピース１が雌ネジ２ａに螺合することで装着される。アイピース１のネジ１ａ部の先端、即ち、アイピースの装着方向（ねじ込み方向）端部の輪帯状面には、その周方向に沿って複数（本実施形態では６ヶ所）の切欠部１ｂが穿設されている。この切欠部１ｂは、アイピース１を装着する際の回転方向（矢印Ａ）の端部で後述の脱落防止部材の係止爪と係合し、回転方向に反対側の端部は傾斜面となっている（図３参照）。尚、図１乃至３は後述のアイピースシャッタが開いている状態を示しており、アイピースシャッタ羽根５，６が共にアイピースの装着位置（ねじ込み完了位置）を規制する規制板４の開口４ａから退避した位置、即ちファインダ視野から退避した位置に格納されている。
【００１８】
図２に示すように、シャッタ羽根５，６からなるアイピースシャッタは、シャッタ羽根５，６が回動軸７を中心に回動するように設けられ、回動軸７に設けられたアイピースシャッタ操作レバー（図９で後述する３３）の動きに連動して開閉する。このとき、シャッタ羽根６に設けられた連動突起６ａがシャッタ羽根５の連動穴５ａの範囲内を移動すると共に、連動穴５ａの端部に係合して一体的に移動することにより、シャッタ羽根５，６を回動軸７まわりに回動させてアイピースシャッタの開閉を行う。また、シャッタ羽根６にはクリック突起６ｂが設けられ、このクリック突起６ｂがバネ９の屈曲部に当接して付勢力を受けることでクリック作用を発生してアイピースシャッタの開位置と閉位置とに係止される。
【００１９】
脱落防止部材１１は、回動軸７とは異なる位置に設けられた回動軸８まわりに回動可能に設けられ、バネ１２によって図２における回動軸８まわりの反時計方向に付勢されている。また、脱落防止部材１１の一端にはアイピース１の切欠部１ｂと係合可能な係止爪１１ａが設けられ、図示するようなアイピースシャッタが開いている状態でアイピース１を回転しながら装着した場合に、装着完了付近において切欠部１ｂに係合する。図３は、アイピースの装着完了付近において係止爪１１ａが切欠部１ｂに進入した状態を示す図であり、この状態で、矢印Ａと反対のアイピースを取り外す方向の回転を阻止している。
【００２０】
尚、脱落防止部材１１の他端には、シャッタ羽根６の連動突起６ａと係合可能な連動部１１ｂが設けられ、アイピースシャッタを閉じる際に、シャッタ羽根５，６が閉じ動作によって連動突起６ａと係合し、回動軸８まわりの時計方向に回動することによって係止爪１１ａと切欠部１ｂとの係合が解除される。尚、解除については、図４，５で説明する。
【００２１】
以上の脱落防止部材１１の構成により、アイピースシャッタが開いている状態でアイピース１の矢印Ａと反対の方向の回転が阻止され、アイピースの脱落が防止されることとなる。また、アイピースシャッタを閉じることでアイピース１の切欠部１ｂと係止爪１１ａとの係合を解除してアイピース１の取り外しのための回転が可能となる。
【００２２】
本実施形態のアイピース１の切欠部１ｂは、合計６ヶ所設けられている。これは、アイピース１がねじ込まれて規制板４に当接するなどして停止した場合の回転位相（即ち切欠部１ｂの回転方向の位置）が係止爪１１ａの位置と合わない可能性を減らすことと、何かの理由で脱落防止爪１１ａが切欠部１ｂから外れた場合にも直ちに他の溝に係合する可能性を増すことにより、二重三重の脱落防止を達成しようとするものである。尚、切欠部１ｂの数は、ネジ１ａのピッチ、切欠部の寸法、係止爪１１ａの切欠部１ｂへの係合寸法等によるものとなる。
【００２３】
図４は、本発明によるファインダ装置においてアイピースシャッタを閉じた場合の状態を示す断面図であり、図５は、当該状態において図４の左側から見たファインダ装置を示す平面図である。アイピースシャッタを閉じると、羽根６の連動突起６ａがバネ１２の付勢力に抗して連動部１１ｂを押すことで脱落防止部材１１を回動し、係止爪１１ａが切欠部１ｂに係合不可能な位置まで退避する。これにより、アイピース１が自由に回転可能な脱落防止解除状態になり、ファインダアクセサリの着脱が可能となる。
【００２４】
尚、アイピースシャッタが閉じた状態で脱落防止を解除する構成としたため、アイピース等のファインダアクセサリの交換作業中にファインダ装置内に埃や異物が進入することも無く、また誤って指でファインダ光学系１０に触れてしまうことも無いという利点を有する。
【００２５】
ここで、バネ１２を用いて係止爪１１ａをアイピース側に付勢する構成としたことについて説明する。図６は、本発明によるファインダ装置に切欠部を備えていない在来型のアイピースを装着した場合を示す平面図である。この状態は、例えばアイピースシャッタを閉じた状態（即ち、脱落防止を解除した状態）で在来型のアイピース４１を装着し、その後にアイピースシャッタを開いたものである。
【００２６】
この場合、係止爪１１ａが退避した状態で在来型のアイピースを装着するため、その装着に何らの制限も不都合も無い。そして、装着後にアイピースシャッタを開くことで係止爪１１ａがアイピース４１側に移動するが、係止爪１１ａはアイピース４１のネジ部４１ａの側面に当接し、それ以上はアイピース４１側に移動することは無い。尚、この状態においては、羽根６の連動突起６ａは脱落防止部材１１の連動部１１ｂに対して係合も付勢もしていないため、脱落防止部材１１が脱落防止位置（図１において係止爪１１ａが切欠部１ｂに係合した場合の脱落防止部材１１の位置）に無くともアイピースシャッタの開閉には何ら支障はない。
【００２７】
一方、仮にこの状態でアイピース４１を取り外し、代わりに本願発明のアイピース１を装着した場合のように、アイピースシャッタが開いた状態でアイピース１を装着する場合にも、バネ１２の付勢力によって係止爪１１ａが脱落防止位置側に移動するため係止爪１１ａがアイピース１の切欠部１ｂの位置に侵入して係合可能となるが、所謂ラチェット機構が構成されているため、アイピース１の装着時の回転は係止部１１ａによって阻害されることは無く、何ら支障無く装着できる。この装着状態は、図７に示すようになる。つまり、図７は、アイピースシャッタが開いていて脱落防止部材１１が脱落防止位置に位置している状態において、本発明のアイピース１をねじ込んで行く過程で係止爪１１ａが切欠部１ｂの斜面部を乗り越える途中の状態を示している。
【００２８】
さらに、アイピースシャッタが開いた状態で、在来型のアイピース４１をねじ込む際の様子を図８に示す。図８において、アイピースシャッタが開いているため係止爪１１ａは脱落防止位置に位置するが、切欠部を有しないアイピース４１は、係止爪１１ａによってその回転を阻害されることは無く、本発明の脱落防止部材を備えない従来のファインダ装置に装着する場合と同じように、アイピースの着脱が可能となっている。
【００２９】
即ち、本発明によるファインダ装置においては、脱落防止部材１１の位置が如何なる位置であったとしても、本発明のアイピース１のみならず、在来型のアイピース４１をも使用可能であり、簡単な構成でありながら、極めて汎用性の高いアイピースの脱落防止機能を備えたファインダ装置を達成することができるものである。
【００３０】
図９は、本発明によるファインダ装置におけるアイピースシャッタ操作レバーの構成を示す図であり、図１の上方から見た要部断面図である。操作レバー３３は、シャッタ羽根５，６が設けられた回動軸７に同軸にネジ止めされている。そして、操作レバー３３を回動軸７まわりに回動操作することでシャッタ羽根６を回動することにより、アイピースシャッタの開閉を行う。この構成により、上述の脱落防止部材をファインダ装置内に組み込んだとしても、従来のファインダ装置の接眼部周辺の寸法を変更すること無く、また構成部品の配置を変更することも無い。
【００３１】
図１０は、本発明のファインダ装置における脱落防止部材の変形例を示す断面図である。この脱落防止部材は、上述の例のように回動軸７に対して回動可能に設けられているものではなく、ファインダ装置の規制板４と接眼部２との間の空間にネジ等によって固定されたクリックバネ３１を配置したものである。このクリックバネ３１は、接眼部に装着されるアイピースの側にクリック突起３１ａを有しており、アイピース２１の切欠部２１ａとともにクリック作用を発生させることでアイピースの回転に対して抵抗を与える構成となっている。尚、アイピース２１の切欠部２１ａは、上述の切欠部１ｂのように一端部が傾斜面となっているものとは異なり、切欠の端部がクリック力を発生するのに適した角度に切り立っている。
【００３２】
この構成によれば、クリックバネは上述の例のようなシャッタ羽根と連動する必要は無く、より簡単な構成でファインダアクセサリの脱落防止を達成できる。また、アイピースシャッタを備えない比較的廉価なカメラに対しても適用できる点で有用である。尚、このクリックバネ３１を脱落防止部材として用いた場合でも、上述の例と同様に在来型のアイピースを使用可能なことは説明するまでも無い。
【００３３】
【発明の効果】
以上のように、本発明のファインダ装置によれば、ファインダアクセサリのネジ部先端に切欠部を設け、ファインダアクセサリをファインダ接眼部に装着した際に切欠部に係合可能に配置された係合部と、切欠部の方向に係合部を付勢する付勢部材とを具備することとした。これにより、在来の螺合式のファインダアクセサリをそのまま使用できる構造でありながら、ネジ部先端に切欠部を設けたファインダアクセサリを装着した場合には、切欠部が係合部と係合することによって脱落防止機構が働くことになるほか、最小限の部品の追加によりスペースの点でも小型化を維持したファインダアクセサリの脱落防止機構を実現することが可能となる。
【００３４】
また、脱落防止機構を解除したい場合には、ファインダ接眼部を遮蔽するためのアイピースシャッタ機構を利用して係合部と切欠部との係合を解除する構成としたため、簡単な構成とすることができるほか、アイピースシャッタが閉じた状態で脱落防止を解除することにより、ファインダアクセサリの交換作業中にファインダ装置内に塵埃や異物が進入することや、誤って指でファインダ光学系に触れてしまうことを防止することができる。
【図面の簡単な説明】
【図１】本発明の実施形態によるファインダ装置の要部を示す断面図。
【図２】本発明の実施形態によるファインダ装置を図１の左側から見た場合の要部を示す平面図。
【図３】アイピースの装着完了付近において係止爪が切欠部に進入した状態を示す図。
【図４】本発明によるファインダ装置においてアイピースシャッタを閉じた場合の状態を示す断面図。
【図５】図４の左側から見たファインダ装置の平面図。
【図６】本発明によるファインダ装置に切欠部を備えていない在来型のアイピースを装着した場合を示す平面図。
【図７】アイピースシャッタが開いていて脱落防止部材が脱落防止位置に位置している状態において、本発明のアイピースをねじ込んで行く過程で係止爪が切欠部の斜面部を乗り越える途中の状態を示す図。
【図８】アイピースシャッタが開いた状態で、在来型のアイピースをねじ込む際の様子を示す図。
【図９】本発明によるファインダ装置におけるアイピースシャッタ操作レバーの構成を示す図。
【図１０】本発明のファインダ装置における脱落防止部材の変形例を示す断面図。
【符号の説明】
１  アイピース
１ａ  雄ネジ
１ｂ  切欠部
２  接眼部
２ａ  雌ネジ
５，６  シャッタ羽根
６ａ  連動突起（係合解除手段）
１１  脱落防止部材
１１ａ  係止爪（係合部）
１２  バネ（付勢部材）
３３  アイピースシャッタ操作レバー
【図１】
2004258363.tif 000003
【図２】
2004258363.tif 000004
【図３】
2004258363.tif 000005
【図４】
2004258363.tif 000006
【図５】
2004258363.tif 000007
【図６】
2004258363.tif 000008
【図７】
2004258363.tif 000009
【図８】
2004258363.tif 000010
【図９】
2004258363.tif 000011
【図１０】
2004258363.tif 000012